【手続補正書】
【提出日】平成28年7月4日(2016.7.4)
【手続補正１】
【補正対象書類名】明細書
【補正対象項目名】００１１
【補正方法】変更
【補正の内容】
【００１１】
上記課題を解決するために、本発明の一態様は、画像処理装置とは独立して制御されて
前記画像処理装置の操作部として用いられ、揮発性の記憶媒体及び不揮発性の記憶媒体を
備える情報処理装置であって、前記画像処理装置により処理された画像データをページご
とに取得する画像データ取得部と、前記画像データ取得部によりページごとに取得した画像データのサイズと、既に前記揮発性の記憶媒体に記憶されている各ページ全ての画像データのサイズとの合計のデータサイズを算出し、算出された前記合計のデータサイズが予め定められた閾値よりも大きい場合、取得した前記画像データを前記不揮発性の記憶媒体に記憶させるとともに、これ以降に取得される残りのページの画像データを前記不揮発性の記憶媒体に記憶させ、算出された前記合計のデータサイズが予め定められた閾値以下の場合、取得した前記画像データを前記揮発性の記録媒体に記憶させる画像データ記憶処理部と、を含むことを特徴とする。
【手続補正２】
【補正対象書類名】明細書
【補正対象項目名】００１２
【補正方法】変更
【補正の内容】
【００１２】
また、本発明の他の態様は、画像処理装置と、前記画像処理装置とは独立して制御され
て前記画像処理装置の操作部として用いられ、揮発性の記憶媒体及び不揮発性の記憶媒体
を備える情報処理装置とを有する画像処理システムであって、前記画像処理装置により処
理された画像データをページごとに取得する画像データ取得部と、前記画像データ取得部によりページごとに取得した画像データのサイズと、既に前記揮発性の記憶媒体に記憶されている各ページ全ての画像データのサイズとの合計のデータサイズを算出し、算出された前記合計のデータサイズが予め定められた閾値よりも大きい場合、取得した前記画像データを前記不揮発性の記憶媒体に記憶させるとともに、これ以降に取得される残りのページの画像データを前記不揮発性の記憶媒体に記憶させ、算出された前記合計のデータサイズが予め定められた閾値以下の場合、取得した前記画像データを前記揮発性の記録媒体に記憶させる画像データ記憶処理部と、を含むことを特徴とする。
【手続補正３】
【補正対象書類名】明細書
【補正対象項目名】００１３
【補正方法】変更
【補正の内容】
【００１３】
また、本発明の更に他の態様は、画像処理装置とは独立して制御されて前記画像処理装
置の操作部として用いられ、揮発性の記憶媒体及び不揮発性の記憶媒体を備える情報処理
装置を制御する制御プログラムであって、前記画像処理装置により処理された画像データをページごとに取得するステップと、ページごとに取得された画像データのサイズと、既に前記揮発性の記憶媒体に記憶されている各ページ全ての画像データのサイズとの合計のデータサイズを算出し、算出された前記合計のデータサイズが予め定められた閾値よりも大きい場合、取得した前記画像データを前記不揮発性の記憶媒体に記憶させるとともに、これ以降に取得される残りのページの画像データを前記不揮発性の記憶媒体に記憶させ、算出された前記合計のデータサイズが予め定められた閾値以下の場合、取得した前記画像データを前記揮発性の記録媒体に記憶させるステップと、を実行させることを特徴とする。
【手続補正４】
【補正対象書類名】特許請求の範囲
【補正対象項目名】全文
【補正方法】変更
【補正の内容】
【特許請求の範囲】
【請求項１】
画像処理装置とは独立して制御されて前記画像処理装置の操作部として用いられ、揮発
性の記憶媒体及び不揮発性の記憶媒体を備える情報処理装置であって、
前記画像処理装置により処理された画像データをページごとに取得する画像データ取得
部と、
前記画像データ取得部によりページごとに取得した画像データのサイズと、既に前記揮発性の記憶媒体に記憶されている各ページ全ての画像データのサイズとの合計のデータサイズを算出し、算出された前記合計のデータサイズが予め定められた閾値よりも大きい場合、取得した前記画像データを前記不揮発性の記憶媒体に記憶させるとともに、これ以降に取得される残りのページの画像データを前記不揮発性の記憶媒体に記憶させ、算出された前記合計のデータサイズが予め定められた閾値以下の場合、取得した前記画像データを前記揮発性の記録媒体に記憶させる画像データ記憶処理部と、
を含むことを特徴とする情報処理装置。
【請求項２】
前記揮発性の記憶媒体及び前記不揮発性の記憶媒体のいずれかにそれぞれ記憶されているページごとの画像データに基づいて、前記情報処理装置の表示部に表示するそれぞれの表示用画像を生成する表示用画像生成部と、
前記表示用画像生成部により生成された前記表示用画像を前記情報処理装置の表示部に表示させる表示用画像出力制御部と、
を含むことを特徴とする請求項１に記載の情報処理装置。
【請求項３】
前記画像データ記憶処理部は、
前記画像データ取得部によりページごとに取得した画像データの前記揮発性の記憶媒体
への記憶処理を開始し、
開始された前記記憶処理の途中で、前記揮発性の記憶媒体に記憶されている画像データ
の合計の大きさが予め定められた閾値よりも大きくなった場合、前記揮発性の記憶媒体に
途中まで記憶させた前記画像データを、前記不揮発性の記憶媒体に記憶させ、
前記揮発性の記憶媒体に途中まで記憶させた前記画像データの残りを、途中まで記憶さ
せた前記画像データとともに前記不揮発性の記憶媒体に記憶させる
ことを特徴とする請求項１に記載の情報処理装置。
【請求項４】
前記表示用画像生成部により生成された前記表示用画像を、それぞれの前記表示用画像
に対応するページの前記画像データが記憶されている前記記憶媒体に記憶させる表示用画
像記憶処理部
を含むことを特徴とする請求項２または請求項３に記載の情報処理装置。
【請求項５】
前記表示用画像出力制御部は、
前記情報処理装置の表示部に表示させる対象の画面であって、前記表示部に表示される
べき前記表示用画像の配置位置が定められている表示対象画面において前記表示部に表示
させる領域を検出する表示領域検出部と、
検出された前記領域内に前記配置位置が定められているページの前記表示用画像を描画
して前記表示部に表示させる画像描画制御部と
を含み、
前記表示用画像記憶処理部は、
検出された前記領域に基づいて、前記不揮発性の記憶媒体に記憶されている各ページの
前記表示用画像の中から、前記揮発性の記憶媒体に記憶されるべき対象ページの前記表示
用画像を特定し、
特定された前記対象ページの前記表示用画像を、前記揮発性の記憶媒体に記憶させ、
特定された前記対象ページの前記表示用画像以外の対象外ページの前記表示用画像が前
記揮発性の記憶媒体及び前記不揮発性の記憶媒体に記憶されている場合、前記揮発性の記
憶媒体に記憶されている前記対象外ページの前記表示用画像を、前記揮発性の記憶媒体か
ら削除し、
前記画像描画制御部は、前記揮発性の記憶媒体に記憶された前記表示用画像を取得して
、検出された前記領域内に前記配置位置が定められているページの前記表示用画像を描画
する
ことを特徴とする請求項４に記載の情報処理装置。
【請求項６】
前記表示用画像記憶処理部は、
前記表示対象画面の表示操作に応じて、前記表示対象画面において前記揮発性の記憶媒
体に記憶されるべき対象ページの前記表示用画像として特定する範囲を決定し、
決定された範囲内に前記配置位置が定められているページの前記表示用画像を、前記揮
発性の記憶媒体に記憶されるべき対象ページの前記表示用画像として特定する
ことを特徴とする請求項５に記載の情報処理装置。
【請求項７】
前記表示用画像記憶処理部は、
決定された前記範囲を、前記表示操作を行った利用者と対応付けて前記不揮発性の記憶
媒体に記憶させ、
別の前記表示対象画面において配置位置が定められている前記表示用画像の中から前記
揮発性の記憶媒体に記憶されるべき対象ページの前記表示用画像を特定する際に、前記別
の表示対象画面に対して操作する利用者に対応付けて記憶されている前記範囲内に前記配
置位置が定められているページの前記表示用画像を、前記対象ページの表示用画像として
特定する
ことを特徴とする請求項６に記載の情報処理装置。
【請求項８】
画像処理装置と、前記画像処理装置とは独立して制御されて前記画像処理装置の操作部
として用いられ、揮発性の記憶媒体及び不揮発性の記憶媒体を備える情報処理装置とを有
する画像処理システムであって、
前記画像処理装置により処理された画像データをページごとに取得する画像データ取得
部と、
前記画像データ取得部によりページごとに取得した画像データのサイズと、既に前記揮発性の記憶媒体に記憶されている各ページ全ての画像データのサイズとの合計のデータサイズを算出し、算出された前記合計のデータサイズが予め定められた閾値よりも大きい場合、取得した前記画像データを前記不揮発性の記憶媒体に記憶させるとともに、これ以降に取得される残りのページの画像データを前記不揮発性の記憶媒体に記憶させ、算出された前記合計のデータサイズが予め定められた閾値以下の場合、取得した前記画像データを前記揮発性の記録媒体に記憶させる画像データ記憶処理部と、
を含むことを特徴とする画像処理システム。
【請求項９】
画像処理装置とは独立して制御されて前記画像処理装置の操作部として用いられ、揮発
性の記憶媒体及び不揮発性の記憶媒体を備える情報処理装置を制御する制御プログラムで
あって、
前記画像処理装置により処理された画像データをページごとに取得するステップと、
ページごとに取得された画像データのサイズと、既に前記揮発性の記憶媒体に記憶されている各ページ全ての画像データのサイズとの合計のデータサイズを算出し、算出された前記合計のデータサイズが予め定められた閾値よりも大きい場合、取得した前記画像データを前記不揮発性の記憶媒体に記憶させるとともに、これ以降に取得される残りのページの画像データを前記不揮発性の記憶媒体に記憶させ、算出された前記合計のデータサイズが予め定められた閾値以下の場合、取得した前記画像データを前記揮発性の記録媒体に記憶させるステップと、
を実行させることを特徴とする制御プログラム。